【事件の表示】
　平成２年特許願第３４０９５号「絵本と組み合った効果音発生方法」拒絶査定に対する審判事件〔（平成６年１１月３０日出願公告、特公平６−９６０５７）、特許請求の範囲に記載された請求項の数（２）〕について、次のとおり審決する。
【結論】
　原査定を取り消す。
　本願の発明は、特許をすべきものとする。
【理由】
１．手続きの経緯、本願発明
　本願は、平成２年２月１４日の出願であって、その請求項１及び２に係る発明は、出願公告後の平成７年１０月６日付け、及び平成１１年１２月１日付けの手続補正書により補正された明細書と図面の記載からみて、その特許請求の範囲の請求項１及び２に記載されたとおりの、
「（１）複数の文章と絵が掲載されたページを有する絵本と、
　音声合成によって異なる効果音を発生させる複数のキーを並べて有する効果音発生装置との組み合わせであって、
　前記効果音発生装置の各々のキーに異なる図柄を表示し、
　前記絵本の各文章の始まりの部分、又は終わりの部分に、前記効果音を発生させるキーに表示された図柄を選択してそれと同一の図柄を表示し、
　絵本の文章を読む時に、そこに表示した図柄と同一の図柄のキーを選択して操作し、該文章中に登場する人物、動物等のイメージに近い効果音を効果音発生装置より発生させるようにしたことを特徴とする絵本と組み合った効果音発生方法。
（２）前記絵本の文章の始まりの部分、又は終わりの部分に表示される図柄は、シールに予め印刷されて複数種類用意され、任意に貼着されることを特徴とする請求項（１）記載の絵本と組み合った効果音発生方法。」
にあるものと認める。
２．引用例
　これに対して、原査定の拒絶の理由となった、特許異議申立人、株式会社学習研究社の特許異議申立に対する特許異議の決定理由に引用された実願昭６１−７０１２８号（実開昭６２−１８１９７９号のマイクロフィルム（以下「引用例１」という。）、実願昭５８−６４２９８号（実開昭５９−１６９８９７号のマイクロフィルム（以下「引用例２」という。）には、以下の事項が記載されている。
　【引用例１】
「本考案は、発音装置付本に関し、特に、音楽教習用本、音の出る本、オルゴール付アルバム等として有用である。」（第３頁第１６行〜１８行）
「次に第３図に示す音の出る絵本２１は、１枚の厚紙を折り曲げて表紙２２、背表紙２３、裏表紙２４を作成し、その裏表紙２４の内側下段に音声発生装置２５を一体的に付設し、裏表紙２４の上段に複数の紙葉２６、２６、・・・を取り付け、各紙葉２６、２６、・・・に、「どうぶつ、「がっき」、「のりもの」、「どうぐ」などの図が描かれている。たとえば、「どうぶつ」では、第３図に示すように、「どうぶつ」の表示２６ａと、犬と猫の図柄２６ｄとが描かれ、下方の音声発生装置２５の所定部分に対応づける線２６ｃが描かれている。
　音声発生装置２５には、紙葉２６に描かれた図形に対応したマーク２５ａが所定部分に描かれ、対応づける表示２５ｂが記されている。
」（第９頁第９行〜第１０頁第３行）
「この音の出る絵本２１では、マーク２５ａを押して音を出すときのみ薄型電池３２の電力が消費されるので、表紙２２と連動する電源スイッチが不要であり、構成が簡単である。そして、幼児は、紙葉２６に描かれた絵を楽しみながら、いろんな音を出すことができる。」（第１１頁第１行〜第６行）
　【引用例２】
「本考案は電子オルゴールや電子音声発生装置等を組み込み紙葉毎に指示されたスイッチを操作することにより当該紙葉に関連する音楽を奏するようにした音の出る絵本に関するものである。」（第１頁第１６行〜第１９行）
「シート７０２・・・は見開き状態で左右の頁７０６、７０７により絵本の紙葉７１０を構成し、これに幼児向けの絵７０８及びこれに関連する文章７０９を表示する。かかる絵７０８、文章７０９は見開きの左右の頁を組として各シート毎に表示し、見開き状態の紙葉の数だけの音楽をＩＣメモリに記憶し、前記スイッチ５・・・はこの数だけ揃える。紙葉７１０のスイッチ５・・・側の端部表面には符号７１１を表示し、符号７１１は見開き状態の当該紙葉の音楽を演奏するスイッチ５Ａと対向する如く表示され、符号７１１は各紙葉毎に異なる位置で各紙葉のスイッチと対向する位置に表示されている。
　以上により絵本７を構成する。
　次に作用、効果を述べると、絵本７を開き、例えば第１図の頁を開いて幼児は絵７０８を見、又文章７０９を読み、内容を理解する。かかる見開き状態の紙葉７１０の図では右端に符号７１１が表示され、これを指示符号として当該符号７１１と対応するスイッチ５Ａのノブ５０２を押す。これにより既述のＩＣメモリの当該記憶再生回路は閉成され、スピーカ３を介して再生された音楽は拡声され、当該紙葉の内容と対応する演奏を聴くことができる。尚一度スイッチを押すと最終迄再生を行う。ＩＣメモリは複数の音楽を記憶しており、紙葉を繰って符号と対応するスイッチを押すことにより順次紙葉の表示内容と関連する音楽を再生することができる。
　以上実施例は音楽の再生として説明したが、小鳥の鳴声等の動物の鳴声、短い言葉も可能であり、これらを組み合せて各紙葉毎に音楽や鳴声、言葉を対応する如く再生しても良い。
　以上の如き本考案によれば、幼児が絵本として絵及び文章を見ながらこれの内容と関連する音楽等を再生して聞くことができ、幼児の知育発達上、教育上好ましく、以上を幼児自身が符号を見てスイッチを押すという簡単な操作で行え、幼児自身の手で絵本を見ながら音楽等を聴くという知育発達上好ましい行為を簡易に企図することができる。」（第５頁第２行〜第６頁第２０行）
３．対比・判断
　そこで、本願請求項１に係る発明（以下「前者」という。）と引用例１記載のもの（以下「後者」という。）とを対比する。
　後者の発明は方法の発明としても捉えることが可能であり、効果音発生方法といえるから、両者は、絵本と組み合った効果音発生方法」であって、後者の「音声発生装置２５」「マーク２５ａ」は、前者の「効果音発生装置」「キー」にそれぞれ対応し、後者の「犬と猫の図柄２６ｄ」は、前者の「絵本を見るときに、そこに表示した図柄」に対応しているから、
　両者は、「複数の絵が掲載されたページを有する絵本と、
　音声合成によって異なる効果音を発生させる複数のキーを並べて有する効果音発生装置との組み合わせであって、
　前記効果音発生装置の各々のキーに異なる図柄を表示し、
　絵本を見る時に、そこに表示した図柄と同一の図柄のキーを選択して操作し、該絵本に登場する動物等のイメージに近い効果音を効果音発生装置より発生させるようにしたことを特徴とする絵本と組み合った効果音発生方法」で一致し、
　前者では、絵本は複数の文章も掲載され、
　前記絵本の各文章の始まりの部分、又は終わりの部分に、前記効果音を発生させるキーに表示された図柄を選択してそれと同一の図柄を表示するのに対し、後者ではそのように構成されていない点で相違している。
　そこで、上記相違点について検討する。
　引用例２には、文章と絵が掲載されたページを有する絵本において、見開き状態の紙葉の数だけの音楽をＩＣメモリに記憶し、紙葉のスイッチの側の端部表面には符号７１１を表示し、当該ページの音楽を演奏するスイッチ５Ａと対向する如く表示されることが記載されている。この記載によれば、各ページに関連する音楽は１つのみであって、複数の文章に対して、それぞれ関連する音楽をＩＣメモリに記憶させ、しかも、その音楽を演奏する時を、文章の始まりにするか、文章の終わりにするか選択できるようにすることは何ら記載されておらず、また示唆もされていない。
　したがって、かかる技術思想を引用例１に適用したとしても、絵本の各文章の始まりの部分、又は終わりの部分に、音声を発生させるキーに表示された図柄を選択してそれと同一の図柄を表示するようにすることは当業者が容易になし得ることとすることはできない。
　そして、本願請求項１に係る発明は、上記相違点に示した構成を備えることにより、「（ｄ）文章の始まり部分、又は終わりの部分に図柄が表示されているので、文章の始まり部分、又は終わりの部分で効果音を入れることができ、その文章に合った効果音をその文章に合ったタイミングで入れることができる。（ｅ）文章の始まり部分、又は終わりの部分で効果音を入れるようにしたので、文章を読むときに、途中で区切ることなく一気に読み切ることができる。」という明細書記載の効果を奏するものである。
　また、本願の請求項２に係る発明は、本願の請求項１を引用して、更に構成要件を付加して限定しているので、本願の請求項１に係る発明と同じ理由によって、当業者が容易になし得ることとすることはできない。
４．むすび
　以上のとおりであるから、本願請求項１及び２に係る発明は、当業者が、引用例１及び２に記載された発明に基づいて容易に発明をすることができたものであるとすることはできない。
　また、他に本願を拒絶すべき理由を発見しない。
　よって、結論のとおり審決する。